(57)【要約】【課題】従来の農業用ビニールハウスは、所定本数のアーチ状骨の両下端を地面に突き刺し、その上面をビニールシートで覆って構成されており、そのビニールシートの両端を縛り杭で地面に固定している。このビニールシートが風に煽られ飛ばされるのを防ぐ為の対策として（１）ビニールシートの裾を土で覆う（２）ビニールシートの上面を紐、或いはバンド等で押さえる方法が採られていた。このビニールハウスは毎年、農地で種まき後、或いは苗を植えた後に作られていた。しかし農作物の収穫後はこれらビニールシートやアーチ状骨等を農地から撤収せざるを得ない等の問題点があった。【解決手段】ハウスフレーム枠１と入口、出口用枠２，３と、ビニールシート、或いは防虫シート４と、ハウスフレーム枠を地面に固定する為のアンカー５が組み立て、分解自在の構造に形成され、必要に応じて所望する場所に移動して組み立て、使用できるように構成されている。【選択図】    図１
0003104416.tif 000002
【実用新案登録請求の範囲】
【請求項１】
所定寸法のハウスフレーム枠１と入口、出口用枠２，３と、所定寸法のビニールシート、或いは防虫シート４と、ハウスフレーム枠１を地面に固定する為のアンカー５が組み立て、分解自在の構造に形成され、必要に応じて所望する場所に移動して使用できるように構成されている簡易組み立て、移動式農業用ハウス。
【請求項２】
所定寸法のビニールシート或いは防虫シート４が面ファスナー８で簡単にハウスフレーム枠１に取り付け、取り外しが出来るようになっている請求項１に記載の簡易組み立て、移動式農業用ハウス。
【請求項３】
所定寸法のハウスフレーム枠１を１ユニットとし、必要ユニット数だけ連結する事により農業用ハウスを所望の長さに出来るのを特徴とする請求項１に記載の簡易組み立て、移動式農業用ハウス。
【考案の詳細な説明】
【考案の詳細な説明】
【技術分野】
【０００１】  本考案は、新規な構成を有する簡易組み立て、移動式農業用ハウスに関するものである。特に無農薬野菜、一般農作物や生花の生産に好適なものである。
【背景技術】
【０００２】  従来の簡易農業用ビニールハウスは、所定本数のアーチ状骨の両下端を地面に突刺し、上面を必要な長さの１枚のビニールシートで覆い、そのビニールシートの両端を縛り杭で地面に固定して作られていた。又、上面を覆うビニールシートが風に煽られ飛ばされるのを防ぐ為（１）ビニールシートの裾を土で覆うとか（２）ビニールシートの上面を紐，或いはバンド等で押さえる等の対策を行なっている。
【考案の開示】
【考案が解決しようとする課題】
【０００３】  従来の農業用ビニールハウスは背景技術の項で述べたようにして、毎年、農地で種まき後、或いは苗を植えた後に作られている。又、上面を覆うビニールシートが風に煽られ飛ばされるのを防ぐ為の対策として（１）ビニールシートの裾を土で覆うとか（２）ビニールシートの上面を紐で押さえるとかしなければ成らない。依って、従来技術で作られた農業用ビニールハウスは規格化されておらず、個々に出来の良し悪しがあった。
又、農作物の収穫後はこれらビニールシートやアーチ状骨等を農地から解体、撤収せざるを得ず、この事は逆に、毎年繰り返し同じように農業用ビニールハウスを農地に作る必要がある等、手間と労力が掛り問題であった。更に、撤去したビニールシートは２度と使う事が出来ず廃棄処分するしか方法が無く、環境問題も含め不経済であり、社会的問題でもあった。
【課題を解決するための手段】
【０００４】  本考案は従来の技術が有するこのような欠点を解決する為に考案された技術である。即ち、請求項１に記載の考案は所定寸法《長さｘ幅》を１ユニットと決めたハウスフレーム枠１とそのハウスフレームの入口枠２、出口枠３とハウスフレーム枠１を覆うビニールシート４とハウスフレーム枠を地面に固定する為のアンカー５等が組み立て、分解自在の構造に形成されている。そして必要に応じて分解して所望する場所に移動して組み立て使用できるように構成されている簡易組み立て、移動式農業用ハウスである。【０００５】  又、請求項２に記載の考案は所定寸法のビニールシート４をハウスフレーム枠１と入口枠２、出口枠３に張りつけ農業用温室として使用するか、同一寸法の寒冷紗、或いは防虫ネット４をビニールシート４の替わりに張って無農薬野菜を生産する為のハウスとして使用することが出来る様にした事である。この為、ハウスフレーム枠１と入口枠２、出口枠３にはビニールシート或いは防虫シート４が簡単に取り付け、取り外しが出来るよう面ファスナー８を採用した。【０００６】  更に、請求項３に記載のハウスフレーム枠１を２枠、３枠と必要枠数だけボルトナットで連結していく事により簡易農業用ハウスは農家の必要とする長さに自由に調節できる構造とした。
【考案の効果】
【０００７】１、小型の農業用ハウスの場合、１ユニットとしてハウスフレーム枠１を所定規格の寸法で製作する。中間フレーム１１の本数はハウスフレーム枠１の大きさによって、適切な本数を決める。中間フレーム１１のハウスフレーム枠１への取り付けは一体型で製作するか、ボルト・ナットで固定するか、差込式で取り付ける等の方法が考えられる。また、横フレーム１２の取り付け本数も同様、ハウスフレーム枠１のユニットの大きさで適切な本数を決める。特に、大型の農業用ハウスの場合は、各部品を組み立てて製作する方法も考えられる。
２、又。ハウスフレーム枠１の固定はアンカー５を農地へ打ちこむだけで容易に出来、強風で揺れても破損しづらい。
３、所望する時期、所望する場所に、容易に移動、設置させることが出来る。
４、各ハウスフレーム枠１の連結は両端フレーム１０に開けられたボルト孔６にボルトを通しナットで締め付ける事で迅速かつ確実に行なう事が出来る。又、ボルト・ナットを取り外す事により分解が容易に出来、所望する長さの農業用ハウスを作ったり、所望する場所に移動させ再組み立てする事が容易に出来る。
５、ビニールシート４はハウスフレーム枠１の寸法に合わせ作られている。又、その取りつけ、取り外しはハウスフレーム枠１とビニールシート４にそれぞれ面ファスナー８が図３，図４，図５に示すように張りつけられているので簡単、容易である。
６、それ故、野菜の生育状況や、季節、天気、気温等の変化に応じ、ビニールシート４を部分的に、或いは全部取り外し、寒冷紗や防虫ネット４等に取り替える事が出来る。
７、ビニールシート４が汚れた場合、簡単に取り外し水洗い等により汚れを落とし、再利用が容易に出来る。或いは、部分的に新しいビニールシートに取り替えることも出来るので経済的である。
８、従来のものは他の場所に移動する場合、或いは収穫が終わった段階で、全部解体しなければならず、手間と労力が掛り、また、ビニールシート全部を廃棄せねばならない等、環境上問題であったが本考案では掛る問題の発生は少ない。
【考案を実施するための最良の形態】
【０００８】  本考案は所定規格寸法《長さｘ幅》を１ユニットと決めたハウスフレーム枠１とそのハウスフレームの入口枠２、出口枠３とハウスフレーム枠１を覆うビニールシート４とハウスフレーム枠を地面に固定する為のアンカー５等で組み立る簡易組み立て、移動式農業用ハウスである。又、必要に応じて分解して所望する場所に移動して再組み立てし、使用できるのを特徴とする簡易組み立て、移動式農業用ハウスである。
ハウスフレーム枠１の長さ（Ｌ）と幅（Ｗ）を規格で決める事が望ましい。それによって当然、中、大型の簡易組み立て、移動式農業用ハウスの場合はハウスフレーム枠の中間フレーム１１や横フレーム１２の取り付け本数、大きさ等は設計によって変わつてくる。【０００９】  先ず、ハウスフレーム枠１にそのハウスフレームの入口枠２、出口枠３を取りつけボルト孔６を通しボルトナットでそれぞれ取りつけ、そのハウスフレーム枠１をハウスフレーム枠１に設けられているアンカー孔７を通し、アンカー５を農地に打ちこみフレーム枠を農地に固定する。そのハウスフレーム枠にビニールシート４をそれぞれ前もって張りつけられている面ファスナー８で張りつけ、簡易農業用ビニールハウスを完成させる。ハウスフレーム枠１を１ユニットとし、このユニットを２枠、３枠と必要枠数だけボルトナットで連結していく事により、簡易農業用ビニールハウスは農家の必要とする長さに自由に調節できる。【００１０】  ハウスフレーム枠１とビニールシート４にはその取りつけ、取り外しが容易なように、図４，図５に示すように前もって面ファスナー８が張りつけられているのが本考案の特徴である。面ファスナー８以外にも両面接着テープや、それ以外の取り付け方法等も考えられるが、耐久性や強度等で問題がある。【００１１】  ビニールシート４が面ファスナー８でハウスフレーム枠１に固定されているので、風によりビニールシート４が飛ばされる事は無いが、万一強風でビニールシート４が飛ばされるのを防ぐ必要がある場合は、図７に示すようにビニールシート４を覆うようにたすき掛けにアンカー５に紐、又はシート張りバンド９を通して固定する。【００１２】  又、必要に応じハウスフレーム枠１にビニールシート４に替えて寒冷紗や、防虫ネット４等を取りつける事も出きる。春野菜や秋野菜を植付した場合は、ビニールシートの代わりに寒冷紗、或いは防虫シート《防虫ネット》を取りつければ、無農薬で野菜を作ることができる。このように本考案はハウスフレーム枠１を覆うシート類を取り替える事によって、このハウスを多目的な農業用ハウスとして使う特徴を有する。
【図面の簡単な説明】
【００１３】
【図１】  本考案の１部を切り欠いた斜視図である。ハウスフレーム枠１が３枠連結されている状態を示す。
【図２】  本考案のハウスフレーム枠１の１ユニットの斜視図である。
【図３】  本考案のハウスフレーム枠１の入口枠２、出口枠３の正面図である。
【図４】  本考案のビニールシート或いは寒冷紗、防虫シート４の裏面図で、ハウスフレーム枠１に合わせ面ファスナー８が張りつけられている。
【図５】  ハウスフレーム枠１の部分拡大図、面ファスナー８の取りつけ位置を示す。
【図６】  ハウスフレーム枠１の基底部の横断面図――ハウスフレーム枠１の両端フレーム１０や中間フレーム１１の断面を示す。
【図７】  ハウスフレーム枠１に張ったビニールシート４が強風に飛ばされないように、アンカー５を使い紐、或いはシート張りバンド９をたすき掛けに張った平面図。
【図８】  本考案のハウスフレーム枠１を農地にアンカー５で固定した断面図。
【符号の説明】
【００１４】  １  ハウスフレーム枠
２  入口枠
３  出口枠
４  ビニールシート或いは寒冷紗、防虫シート
５  アンカー
６  ボルト孔
７  アンカー孔
８  面ファスナー
９  紐、或いはシート張りバンド
１０  両端フレーム
１１  中間フレーム
１２  横フレーム
１３  基底フレーム
【図１】
0003104416.tif 000003
【図２】
0003104416.tif 000004
【図３】
0003104416.tif 000005
【図４】
0003104416.tif 000006
【図５】
0003104416.tif 000007
【図６】
0003104416.tif 000008
【図７】
0003104416.tif 000009
【図８】
0003104416.tif 000010